(57)【特許請求の範囲】
【請求項１】
対象体にミストを吹付ける美容装置であって、
液体から前記ミストを生成するミスト生成部と、
有端環状又は無端環状に形成されるとともに内部を前記ミストが流動する流路部を含むダクト部と、
前記流路部の内側面に設けられているとともに前記流路部を流動する前記ミストを前記流路部の中心軸に向かって噴出する複数個のミスト噴出部と、を有し、
前記ダクト部は、前記中心軸に沿う方向の両端側が開口している、美容装置。
【請求項２】
対象体にミストを吹付ける美容装置であって、
液体から前記ミストを生成するミスト生成部と、
有端環状又は無端環状に形成されるとともに内部を前記ミストが流動する流路部を含むダクト部と、
前記流路部の内側面に設けられているとともに前記流路部を流動する前記ミストを前記流路部の中心軸に向かって噴出する複数個のミスト噴出部と、
前記ミストを供給するとともに前記ダクト部を着脱可能に支持する支持部と、を有する美容装置。
【請求項３】
前記ミスト噴出部が前記中心軸に対して傾斜する方向に前記ミストを噴出する請求項１又は請求項２に記載の美容装置。
【請求項４】
少なくともひとつの前記ミスト噴出部の前記対象体に対する位置が変化するように前記ダクト部を回動する回動部が設けられている請求項１から請求項３のいずれかに記載の美容装置。
【請求項５】
前記ミストを供給するとともに前記ダクト部を着脱可能に支持する支持部が設けられている請求項１に記載の美容装置。
【発明の詳細な説明】
【技術分野】
【０００１】
本発明は、肌表面にミストを吹き付ける美容装置に関する。
【背景技術】
【０００２】
ミスト（低温ミスト）や蒸気（高温ミスト）を吹付けて肌表面の状態を向上させる又は良好な状態を保つための美容装置がある（例えば、特開２０１２−２００５３３号公報、特開２０１４−１３２９８３号公報等）。
【０００３】
特開２０１２−２００５３３号公報にはミスト発生装置が開示されている。このミスト発生装置は超音波ミスト発生装置と加熱ミスト発生装置とを備えている。そして、超音波ミスト発生装置から発生した超音波ミスト（低温ミスト）と加熱ミスト発生装置から発生した加熱ミスト（高温ミスト）を放出口から放出して混合させる又は混合部で混合した後放出口から混合ミストを吹付ける。これにより、温熱ミストを肌面の近くで対流させ、スキンケア効果を向上させている。
【０００４】
また、特開２０１４−１３２９８３号公報にはミスト循環型美顔器が開示されている。このミスト循環型美顔器は、水タンク室内の水をヒータで加熱し、羽根車に衝突させることで多数の微細な水粒子に粉砕されてミストを発生する。そして、送出管からミストをフードに送出している。フードに覆われた顔にミストを吹付け、顔面のミスト浴を行っている。また、フード内の吸込管でミストを吸い込んで再度利用することで循環させており、ミストを無駄なく利用している。
【先行技術文献】
【特許文献】
【０００５】
【特許文献１】特開２０１２−２００５３３号公報
【特許文献２】特開２０１４−１３２９８３号公報
【発明の概要】
【発明が解決しようとする課題】
【０００６】
近年、肌の調子を整えるために顔以外の部分にもミストを吹き付けたいとの要求が高まっている。特開２０１４−１３２９８３号公報のミスト循環型美顔器では、顔へのミスト吹き付けを効果的に行うためにフードを備えており、体の顔以外の部位にミストを吹き付けるのは難しい形状となっている。
【０００７】
特開２０１２−２００５３３号公報のミスト発生装置では、一般的な形状（例えば、円筒状）の放出口からミストを放出している。そして、ミストを吹き付ける部位を前記放出口の正面に配置することで、ミストを対象部分に吹付けている。この構成の場合、特開２０１４−１３２９８３号公報の構成に比べて、顔以外の部分にミストを吹き付けやすいが、例えば、腕に吹付ける場合、内側と外側とで吹き付けが均一になりにくい。また、内側又は外側を吹き付けるとき、無理な姿勢を取る必要がある又はミスト発生装置を移動させなくてはならず、ミストの吹き付けに手間がかかる。
【０００８】
そこで本発明は、部位にかかわらず肌表面に効率よくミストを吹き付けることができる美容装置を提供することを目的とする。
【課題を解決するための手段】
【０００９】
上記目的を達成するため本発明は、対象体にミストを吹付ける美容装置であって、液体から前記ミストを生成するミスト生成部と、有端環状又は無端環状に形成されるとともに内部を前記ミスト生成部で生成された前記ミストが流動する流路部を含むダクト部と、前記流路部の内側面に設けられているとともに前記流路部を流動するミストを前記流路部の中心軸に向かって噴出する複数個のミスト噴出部とを有する。
【００１０】
この構成によると、前記流路部が環状に形成されているとともに、前記流路部の内側面にミストを噴出するミスト噴出部を複数個、周方向に並べて配置されているので、流路部の内側に配置された対象体に対して、周囲からミストを噴出することが可能である。
【００１１】
これにより、前記対象体に対して周方向の複数個所から均等又は略均等にミストが吹き付けられるため、対象体や美容装置を移動させなくても、ミストを対象体の周囲に均等に吹き付けることが可能である。すなわち、使用者は対象体を前記流路部の内側に配置してミスト噴出を行うだけでよく、利便性が高い。なお、環状の流路部の内側に配置する対象体としては、例えば、手、腕、足、太もも、ふくらはぎ等を挙げることが可能である。
【００１２】
上記構成において、前記ミスト噴出部が前記流路部の中心軸に対して傾斜する方向に前記ミストを噴出するようにしてもよい。
【００１３】
このような構成とすることで、前記流路部の内側に配置するのが難しい対象体（例えば、顔、胸等）にも軸方向にずれたミストを吹き付けることが可能である。
【００１４】
上記構成において、前記内側面は、法線が前記流路部の中心軸と交差する方向に延びる形状を有していてもよい。
【００１５】
このような構成とすることで、前記流路部の内側に配置するのが難しい対象体（例えば、顔、胸等）にも軸方向にずれたミストを吹き付けることが可能である。
【００１６】
上記構成において、前記ミストを供給するとともに前記ダクト部を着脱可能に支持する支持部が設けられていてもよい。
【００１７】
このように構成することで、ミストを吹き付ける対象体の形状や大きさに合わせて前記ダクト部を変更することが可能であり、効果的にミスト吹付を行うことが可能である。また、メンテナンスもやりやすい。
【００１８】
上記構成において、少なくともひとつの前記ミスト噴出部の前記対象体に対する位置が変化するように前記ダクト部を回動する回動部が設けられていてもよい。
【００１９】
このような構成とすることで、ミストを吹き付ける範囲を広げることが可能であり、対象体を移動させることなく、広範な範囲にミスト吹き付けを行うことが可能である。
【００２０】
なお、ミスト発生部でミスト化する液体としては、例えば、水、天然水、水道水、酸性水、化粧水、薬品の溶液等、対象体を刺激したり、傷つけたりしにくい液体を広く採用することが可能である。
【発明の効果】
【００２１】
本発明によると、部位にかかわらず肌表面に効率よくミストを吹き付けることができる美容装置を提供することができる。
【図面の簡単な説明】
【００２２】
【図１】本発明にかかる美容装置の一例の斜視図である。
【図２】図１に示す美容装置の概略配置を示す図である。
【図３】本発明にかかる美容装置に備えられるダクト部の正面図である。
【図４】図３に示すダクト部の側面図である。
【図５】図３に示すダクト部をＶ−Ｖ線で切断した断面図である。
【図６】本発明にかかる美容装置を用いて腕の肌表面にミストを吹き付ける状態を示す図である。
【図７Ａ】本発明にかかる美容装置に備えられるダクト部の他の例を示す図である。
【図７Ｂ】本発明にかかる美容装置に備えられるダクト部の他の例を示す図である。
【図７Ｃ】本発明にかかる美容装置に備えられるダクト部の他の例を示す図である。
【図７Ｄ】本発明にかかる美容装置に備えられるダクト部の他の例を示す図である。
【図７Ｅ】本発明にかかる美容装置に備えられるダクト部の他の例を示す図である。
【図８】本発明にかかる美容装置の他の例の概略配置を示す図である。
【図９】図８に示す美容装置でダクト部を回動した状態を示す平面図である。
【図１０Ａ】本実施形態にかかる美容装置の変形例の動作を示す平面図である。
【図１０Ｂ】本実施形態にかかる美容装置の変形例の動作を示す平面図である。
【図１１】本発明にかかる美容装置の他の例に用いられるダクト部の斜視図である。
【図１２】図１１に示すダクト部の正面図である。
【図１３】図１２に示すダクトのＸＩＩＩ−ＸＩＩＩ線で切断した断面図である。
【図１４】本発明にかかる美容装置のさらに他の例に備えられるダクト部の正面図である。
【図１５】図１４に示すダクト部のＸＶ−ＸＶ線で切断した断面図である。
【図１６】本発明にかかる美容装置に用いるダクト部の側面図である。
【発明を実施するための形態】
【００２３】
（第１実施形態）
本発明にかかる美容装置について図面を参照して説明する。図１は本発明にかかる美容装置の一例の斜視図であり、図２は図１に示す美容装置の概略配置を示す図である。図１に示すように、美容装置Ａは、ミスト発生部１０と、タンク部２０と、ダクト接続部３０と、ダクト部４０とを備えている。なお、本実施形態における美容装置Ａでは、酸性水を霧化してミストを発生させる構成を例に説明するが、これに限定されない。酸性水以外にも、天然水、水道水、化粧水、美容用の薬品の溶液等を利用することも可能である。
【００２４】
美容装置Ａは、ミスト発生部１０の上部に水の容器であるタンク部２０を着脱可能に取り付ける。ミスト発生部１０の上部にタンク部２０を取り付けるので、水の自重を利用して、タンク部２０からミスト発生部１０に水を流入させることができる。
【００２５】
図２に示すように、タンク部２０は、下面より突出した給水部２１を備えており、給水部２１からミスト発生部１０に水を供給する。なお、給水部２１には、タンク部２０を水が漏れないようにするための弁（不図示）が取り付けられている。また、本発明にかかる美容装置Ａでは、タンク部２０が、ミスト生成部１３の後述する貯水トレイ１３１よりも高い位置に配置される（詳細は後述する）。
【００２６】
図２に示すように、ミスト発生部１０は、タンク取付部１１、酸性水生成部１２、ミスト生成部１３、排水タンク１４、配管１５及び制御部１６を備えている。タンク取付部１１は、ミスト発生部１０の上部に配置されるタンク部２０を保持するとともに、タンク部２０内の水を受ける。タンク取付部１１は、ミスト発生部１０の上部に設けられており、タンク部２０が嵌合する嵌合凹部１１１と、給水部２１が内挿される受水凹部１１２とを備えている。タンク部２０を嵌合凹部１１１に挿入することで、給水部２１が受水凹部１１２に挿入される。なお、水漏れを防ぐために、給水部２１の外周面及び（又は）受水凹部１１２の内周面には、防水パッキン（不図示）が取り付けられている。
【００２７】
そして、給水部２１を受水凹部１１２に挿入することで、給水部２１の弁が開く。これにより、タンク部２０の内部の水は、受水凹部１１２に流れ込む。受水凹部１１２は、配管１５と連通しており、受水凹部１１２に流入した水は、配管１５に流れ込むようになっている。なお、配管の詳細については後述する。また、タンク部２０をタンク取付部１１から離脱させると、給水部２１の弁が閉じ、水漏れを抑制する。このような、弁は従来周知のものであるため、詳細な説明は省略する。
【００２８】
酸性水生成部１２は、配管１５と連通しており、タンク部２０からの水が配管１５の後述する第１水路１５１を介して酸性水生成部１２に供給される。
【００２９】
酸性水生成部１２は、水を電気分解することで酸性水を生成する。酸性水生成部１２は、電解槽１２１と、一対の電極１２２、１２３とを備えている。電解槽１２１は内部に水を溜めることができる容器であり、水密な構造を有している。
【００３０】
一対の電極１２２、１２３は、電解槽１２１に貯められた水の中に配置される。そして、一対の電極１２２、１２３の間に電圧を印加することで、電気分解を行う。なお、一般的に水道を利用して供給されている水は、純水ではなく、塩化物イオン、Ｍｇイオン、Ｃａイオン等が溶存しているため、別途、電解質やイオン性物質等を混入しなくても電気分解が可能である。
【００３１】
例えば、電極１２２をアノード、電極１２３をカソードとして電気分解を行うと、電極１２２では、水素イオンが生成されるとともに、酸素ガス、塩素ガスが発生する。なお、塩素ガスは、水に容易に溶ける。そして、水に溶けることで次亜塩素酸及び（又は）次亜塩素酸イオンに変化する。この次亜塩素酸及び（又は）次亜塩素酸イオンの殺菌効果によって、電解槽１２１内の水が清潔に保たれる。
【００３２】
また、電極１２３では、Ｍｇイオン、Ｃａイオン等の硬度成分が析出するとともに、水酸化物イオンが生成され、さらに、水素ガスが発生する。電極１２３では、水酸化物イオンが生成されるが、水酸化物イオンの影響は水素イオンに比べて限定的であり、酸性水生成部１２では、電気分解によって、酸性水が生成される。
【００３３】
酸性水生成部１２において電気分解によって電極１２３に硬度成分が吸着すると酸性水の生成効率が低下する。そのため、一定のタイミングで（例えば、駆動時間の経過によって）、電極１２２、１２３のカソードとアノードを入れ替え（電極１２２をカソードに電極１２３をアノードに入れ替え）る。このようにすることで、電極１２３で析出した硬度成分がイオン化して水に溶出する。また、酸性水生成部１２において、水を電気分解すると、水素や酸素等のガスが発生する。酸性水生成部１２は、発生したガスを抜くためのガス抜きパイプ１２４を備えている。なお、ガス抜きパイプ１２４はミスト生成部１３にガスを抜くように形成されているが、これに限定されるものではなく、別の場所にガスを放出するようにしてもよい。
【００３４】
酸性水生成部１２では、上述したように、電気分解を繰り返すことで、硬度成分の濃度が上昇し、酸性水が生成されにくくなる。そのため、酸性水生成部１２では、酸性水をある程度生成した後に、配管１５を介して排水タンク１４に排水するようになっている。排水は、制御部１６によって制御されるものであり、運転からの時間で行うようにしてもよいし、酸性水生成部１２内の水のｐＨ或いは電気分解を行うときの抵抗（電圧）の変化を検出して行うようにしてもよい。なお、排水は制御部１６によって制御される。
【００３５】
酸性水生成部１２で生成された酸性水は、配管１５の後述する第２水路１５２を介してミスト生成部１３に供給される。なお、美容装置Ａにおいてミスト化される水が酸性水である必要はない。すなわち、酸性水を吹き付けたくない場合や表面を加湿するためだけで酸性水でなくてもよい場合等がある。このような場合、酸性水生成部１２では、酸性水の生成を行わずに、流入した水をそのまま貯水トレイ１３１に供給する。
【００３６】
ミスト生成部１３は、貯水トレイ１３１と、超音波振動子１３２と、送風ファン１３３とを備えている。貯水トレイ１３１と酸性水生成部１２とは配管１５の第２水路１５２で連通されている。貯水トレイ１３１はミスト化するための水を蓄えるための容器であり、上部が蓋体１３０で覆われている。貯水トレイ１３１には不図示の水位検知部が設けられており、水位が一定の範囲内に収まるように調整されている。
【００３７】
蓋体１３０は貯水トレイ１３１に対して着脱可能に取り付けられている。そして、蓋体１３０は、生成されたミストを外部に放出するための放出孔１３４を備えている。さらに、蓋体１３０の放出孔１３４の辺縁部には円筒形状の突出部１３５が外部に向けて突出している。突出部１３５は、ミストを送るためのパイプであるとともに、ダクト接続部３０を連結するときのガイド及び支持部材としての役割を果たす。突出部１３５は蓋体１３０と一体に形成されていてもよいし、着脱可能な構成であってもよい。
【００３８】
超音波振動子１３２は、例えば、電圧を印加することで変形する圧電素子（例えば、圧電セラミック）と、圧電素子に電圧を印加するための電極を備えた構成を有している。電極に高周波の電圧を印加することで、圧電素子から超音波が発生する。この超音波のエネルギが貯水トレイ１３１に貯められている水の水面に到達すると、水面の一部が隆起し、そこからミスト（ミスト粒子）が空気中に放出される。なお、ミストとは空間中にミスト粒子が無数に存在している状態のことであり、ミスト粒子の粒径は３μｍ程度を挙げることができるが、これに限定されない。
【００３９】
また、本発明では、超音波振動子１３２を利用してミストを発生させているが、これに限定されるものではなく、例えば、ヒータを用いて蒸気（高温ミスト）を生成する構成であってもよい。また、超音波振動子１３２を用いたミスト（低温ミスト）及び高温ミストの両方を生成可能な構成となっていてもよい。さらに、これら以外にのミストを発生させることができるものを広く採用することができる。
【００４０】
送風ファン１３３は、貯水トレイ１３１に貯められた水の水面に向けて送風するためのファンである。送風ファン１３３は、例えば、シロッコファンのような多翼ファンを挙げることができるが、これに限定されるものではない。送風ファン１３３は、空気を吹出す送風口が貯水トレイ１３１の側面に設けられており、側面より貯水トレイ１３１の中央に向けて空気を吹出すようになっている。送風ファン１３３を駆動することで、貯水トレイ１３１の内部に空気が送られ、水面で発生したミストは送られた空気と一緒に放出孔１３４からダクト接続部３０に流入する。
【００４１】
なお、送風ファン１３３の能力は、ミストの発生量によって決められることが好ましい。例えば、ミスト生成部１３における加湿量（発生するミストの量）が、３００ｃｃ／時としたとき、送風ファン１３３は流量１０００ｃｃ／分を挙げることができる。なお、送風ファン１３３の能力は、ミストを効果的に噴出できる流量を挙げることができる。
【００４２】
送風ファン１３３は、水の流入を抑制するため、送風口が水面の隆起よりも高くなるように設けられる。また、送風口からの水の流入を抑制したり、空気の流れの偏りを抑制するために、送付口を貯水トレイ１３１の側壁に向け、吹出した空気を一旦側壁に衝突させるようにしてもよい。
【００４３】
電解槽１２１には、タンク部２０に貯えられている水の重量を利用して水が供給されるようになっている。そのため、電解槽１２１はタンク部２０よりも低い位置に配置されている。また、電解槽１２１から貯水タンク１３１への水の流入も、タンク部２０に貯えられている水の重量を利用している。そのため、貯水タンク１３１は規定量の水を貯めているときの水面がタンク部２０に貯えられている水の水面よりも低くなるように配置されている。さらに、貯水タンク１３１に規定量の水を貯めているときの水面がタンク部２０の底部（係合凹部１１１）と同じかそれよりも低い位置になるように配置されることが好ましい。
【００４４】
ダクト接続部３０は、ミスト生成部１３とダクト部４０とを接続している。ダクト接続部３０は中空の部材であり、ミスト生成部１３と連結される連結部３１と、ダクト部４０を取り付けるとともに支持する支持部３２とを備えている。ダクト接続部３０は連結部３１から流入したミストを一時的に蓄える緩衝部として用いられるとともに、ダクト部４０の取付位置を上方に変更する位置合わせ部材としての役割も果たしている。
【００４５】
ダクト接続部３０は、ミスト発生部１０（のミスト生成部１３）に対して着脱可能な構成としているが、これに限定されるものではなく、ミスト発生部１０と一体に形成されていてもよい。また、ダクト部４０の取り付け位置の高さ調整が不要な場合、ダクト接続部３０を省略してもよい。
【００４６】
上述のとおり、酸性水生成部１２では水の入れ替えが必要であり、電解槽１２１の水を抜く必要がある。また、ミスト生成部１３のメンテナンスや美容装置Ａの移動を行うため、貯水トレイ１３１の水を抜く必要がある。そこで、美容装置Ａでは、電解槽１２１及び（又は）貯水トレイ１３１からの排水を貯めるための排水タンク１４を備えている。排水タンク１４はミスト発生部１０に対して着脱可能に取り付けられており、内部に水がたまったときには、取り外して、水を捨てることができるようになっている。なお、排水タンク１４は、電解槽１２１と貯水トレイ１３１とに貯められる水の量及び配管１５内に溜まる水の量の総和よりも大きい容量を有していることが好ましい。
【００４７】
配管１５は、受水凹部１１２（タンク部２０の給水部２１）、電解槽１２１及び排水タンク１４を繋ぐ第１水路１５１と、電解槽１２１と貯水トレイ１３１とを繋ぐ第２水路１５２とを含んでいる。そして、第１水路１５１には、３路に分岐する分岐部１５０を備えているとともに、分岐部１５０から受水凹部１１２までの間の水路に配された第１バルブ１５３と、分岐部１５０から排水タンク１４までの間の水路に配された排水ポンプ１５４とが設けられている。また、第２水路１５２には第２バルブ１５５が設けられている。なお、第１バルブ１５３は受水凹部１１２（タンク部２０の給水部２１）からの水の流入を調整している。また、第２バルブ１５５は電解槽１２１と貯水トレイ１３１との間の水の流れを調整している。
【００４８】
排水ポンプ１５４は、電解槽１２１、貯水トレイ１３１、第１水路１５１及び第２水路１５２内の水を排水タンク１４に流入させるように動作する。また、排水ポンプ１５４には、非動作（停止状態）時に分岐部１５０と排水タンク１４との間の水の流動を抑制する機能が設けられている。これにより、排水ポンプ１５４を停止している間、分岐部１５０から排水タンク１４に水が流入したり、排水タンク１４の水が分岐部１５０（すなわち、電解槽１２１）に逆流したりするのを抑制できる。
【００４９】
制御部１６は、ＣＰＵやＭＰＵといった演算処理回路を備えている。制御部１６は、図示を省略しているが、タンク部２０の取り付け状態を検知するセンサ、排水タンク１４の取付け状態を検知するセンサ、電解槽１２１の水量を検知するセンサ、貯水トレイ１２１の水位を検知するセンサ等の各種センサからの情報を取得する。そして、これらセンサからの情報に基づいて、電極１２２、１２３、超音波振動子１３２、第１バルブ１５３、排水ポンプ１５４及び第２バルブ１５５の動作を制御する制御信号を送信する。実際の装置において制御部１６は、電極１２２、１２３に電力を供給する電源回路、ファン１３３、ポンプ１５４に電力を供給する電源回路、第１バルブ１５３、第２バルブ１５５に電力を供給する電源回路及び超音波振動子１３２に電力を供給する電源回路をそれぞれ制御している。
【００５０】
ダクト接続部３０の上部の支持部３２には、ダクト部４０が着脱可能に取り付けられている。次にダクト部４０の詳細について図面を参照して説明する。図３は本発明にかかる美容装置に備えられるダクト部の正面図であり、図４は図３に示すダクト部の側面図であり、図５は図３に示すダクト部をＶ−Ｖ線で切断した断面図である。
【００５１】
図３、図４に示すように、ダクト部４０は、嵌合部４１と、流路部４２と、ミスト噴出部４３とを備えている。嵌合部４１は、筒状の部材であり、ダクト接続部３０の支持部３２に気密に嵌合する。嵌合部４１は支持部３２と同じ断面形状を有しており、嵌合部４１の外側に支持部３２が外嵌する（図１、図２等参照）。これにより、ダクト部４０内部でミストが結露しても、結露による水滴がダクト接続部３０に戻るため、美容装置Ａの外側に水（水滴）が漏れにくく、美容装置Ａの美観を保ち、清掃等の手間を減らすことが可能である。
【００５２】
なお、支持部３２及び嵌合部４１は円筒形状であり、嵌合部４１は支持部３２に嵌合している状態で回動可能となっている。また、本実施形態では、嵌合部４１及び支持部３２が円筒形状としているが、確実な気密性を得るためにテーパ形状に形成されていてもよい。さらに、断面は円環である必要はなく、嵌合部４１を支持部３２に気密に嵌合させることができるもの（例えば、三角、四角、六角等の多角形や楕円等）を広く採用することが可能である。
【００５３】
流路部４２は内部がミスト及びミストを搬送する空気が流れることが可能なように空洞（すなわち、管体）であり、正面視において有端環状に形成されている。つまり、流路部４２は正面視において、周方向に一部が切り欠かれた円環形状を有している。流路部４２の両端部は、気密に封鎖されている。これにより、流路部４２の端部からミスト及びミストを搬送する空気が外部に漏れるのを抑制している。
【００５４】
流路部４２は嵌合部４１の支持部３２に嵌合しているのと反対側の端部と連通するように設けられている。流路部４２の円環形状の中心軸Ｃ１は嵌合部４１の中心軸Ｃ０と交差している（ここでは、直交している）。そして、流路部４２は円環形状の中心軸Ｃ１と対向するように形成された内側面４２１を備えている。内側面４２１は円筒形状の凹曲面である。
【００５５】
図３に示すように、流路部４２は嵌合部４１が連通している位置を６時とすると、両端部が０時（嵌合部４１が連通している場所から中心角１８０度）から７時（嵌合部４１が連通している場所から中心角３０度）までの円環形状（中心角度２１０度）を有している。すなわち、中心角において１５０度切り欠かれた円環形状であり、一方の端部が、嵌合部４１と連通する位置と中心軸を挟んで反対側になるように形成されている。
【００５６】
流路部４２の内側面４２１には、ミスト噴出部４３が設けられている。ミスト噴出部４３は流路部４２の内部の空間を通ってきたミストを外部に向けて噴出する。図３に示すように、ミスト噴出部４３は内側面４２１の周方向に等中心角度（ここでは３０度）の位置（ここでは、７カ所）に配置されている。
【００５７】
図４、図５に示すように、ミスト噴出部４３は、突出部４３１と、貫通孔４３２とを備えている。突出部４３１は、円柱形状を有しており、流路部４２の円環形状の中心軸Ｃ１に向かって突出している。突出部４３１は、ミスト噴出部４３毎に２個ずつ備えられており、円環形状の中心軸Ｃ１に沿う方向に並べて配置されている。すなわち、ダクト部４０では、７カ所にミスト噴出部４３が設けられており、合計１４個の突出部４３１を備えている。なお、ダクト部４０では、突出部４３１は、中心軸Ｃ１に沿う方向に並んで配置されているが、これに限定されるものではなく、軸方向に隣合う突出部４３１は周方向にずれていてもよい。
【００５８】
貫通孔４３２は、内部の空間から外部にミストを噴出するためのノズルであり、突出部４３１の円形状の外面の中央部分に開口を有している。貫通孔４３２はミスト及びミストを搬送する空気の噴出方向を安定させることができる長さを有している。ミスト及びミストを搬送する空気は、貫通孔４３２を通過することで流れの方向が均一化される。これにより、ミストが拡散しにくくなり、ミスト噴出部４３から遠くまでミストを到達させることができる。なお、本実施形態では、流路部４２を薄肉で形成しており、突出部４３１を設けることで貫通孔４３２の長さを確保することが可能になっているが、流路部４２の内側面４２１が十分に厚い場合、突出部４３１を省略することも可能である。
【００５９】
しかしながら、突出部４３１を備える構成とすることで、ダクト部４０全体を薄肉化することが可能であり、材料を減らし、軽量化することが可能である。また、突出部４３１を設けることで、ミストが吹出す部分を使用者が簡単に認識することができるため、使用者の利便性を高める効果も有している。
【００６０】
また、図５に示すように、貫通孔４３２はその中心軸Ｃ２が流路部４２の円環形状の中心軸Ｃ１に対して傾斜している。すなわち、貫通孔４３２は中心軸Ｃ２が流路部４２の円環形状の中心軸Ｃ１と、直角ではない角度で交差するように形成されている。このように形成することで、ミストが流路部４２から中心軸Ｃ１に沿う方向に向けて噴出されるので、流路部４２の軸方向Ｃ１に沿う方向にずれた位置に向かってミストを噴出する。
【００６１】
本実施形態のダクト部４０では、嵌合部４１の軸と直交する断面の断面積をＳ１、貫通孔４３２の軸と直交する断面の断面積の総和をＳ２とすると、Ｓ１とＳ２は一致する又は略一致するように形成されている。そのため、ダクト接続部３０（すなわち、ミスト発生部１０）から供給されるミストを含む風の流量と、貫通孔４３２から噴出されるミストを含む風の流量とが一致する。これにより、ミスト不足になったり、ダクト部４０にミスト及び空気が溜まって必要以上にミストを含む風の流速が高くなったりするのを抑制することができる。
【００６２】
以上のような構成を有している美容装置による対象体へのミストの吹き付けについて説明する。図６は本発明にかかる美容装置を用いて腕の肌表面にミストを吹き付ける状態を示す図である。なお、図６では説明の便宜上、ダクト部４０を主に表示しているが、実際には、ミスト発生部１０、タンク部２０及びダクト接続部３０が備えられている。
【００６３】
ダクト部４０は、有端環状の流路部４２を備えており、棒状の対象体、すなわち、腕Ａｍを流路部４２に接触しないように、円環形状の内部に配置することができる。流路部４２の円環形状の中心軸Ｃ１に向けてミストが噴出されるものであり、図６に示すように、流路部４２の円環形状の内部に腕Ａｍを配置することで、周方向に配列されたミスト噴出部４３から腕Ａｍに一斉にミストが吹き付けられる。これにより、腕Ａｍの流路部４２と軸方向に重なっている部分の近傍では、周方向の複数の位置に同時にミストが吹き付けられる。これにより、腕Ａｍを動かしたり、美容装置Ａを動かしたりすることなく、腕Ａｍの周方向に均等にミストを吹き付けることができる。
【００６４】
本発明にかかる美容装置Ａでは、腕Ａｍにミストを噴出するとき、通常設置された美容装置Ａのダクト部４０の流路部４２の円環形状の内部に腕Ａｍを配置することで、腕Ａｍの周方向に一斉にミストを吹き付けることが可能である。
【００６５】
本発明にかかる美容装置Ａのダクト部４０は、流路部４２が一部を切り欠いた円環形状であるため、腕Ａｍを流路部４２に対して移動させるとき、腕４２を中心軸Ｃ１方向に移動させるだけでなく、切り欠いた部分を通過させることも可能である。このように構成することで、例えば、腕Ａｍのミストが吹き付けられる部分に認識していない傷があり、ミストを吹き付けたことで、腕Ａｍに痛みを感じた場合、腕Ａｍを退避させる方法が複数あるので、迅速に腕Ａｍを流路部４２から外すことができる。また、腕Ａｍの動きに制限がある使用者の場合も、切り欠いた部分から流路部４２の円環形状の内部に腕Ａｍを配置したり退避したりすることができるので、容易に利用することが可能である。さらに、切り欠いた部分から移動させることで、腕Ａｍの付け根付近にミストを吹き付ける場合でも、腕Ａｍを流路部４２の円環形状の内部に対して簡単且つ安全に配置又は退避することができる。
【００６６】
また、貫通孔４３２の中心軸Ｃ２が有端環状の流路部４２の中心軸Ｃ１に対して直角ではない角度を有しているので、ミストは、流路部４２から中心軸Ｃ１に沿う方向にはみ出すように噴出される。このような構成とすることで、例えば、手のひらや手の甲等、平面状の対象体に対してミストを吹き付ける場合、対象体を流路部４２のミストがはみ出して噴出する部分に置くことで、対象体に効率よくミストを吹き付けることも可能である。
【００６７】
本発明にかかる美容装置Ａでは、酸性水生成部１２で酸性水を生成し、その酸性水のミストを吹き付ける構成となっているため、肌表面の殺菌或いは除菌を行うことも可能である。そして、ミストとして吹き付けるため、拭き取りが不要であり、酸性水を塗布する場合に比べて塗布や拭き取りのときに、摩擦で肌表面が傷つくのを抑制することができる。また、酸性水を利用することで、弱酸性である肌表面に対してアストリンゼン効果により、活性化、引き締め効果を得ることも可能である。
【００６８】
さらに、酸性水は、アトピー皮膚炎等の皮膚病にも効果があることがわかってきている。本発明の美容装置Ａを利用することで、腕の周方向に均等にミストを吹き付けることができるとともに、手が届きにくい場所の疾患部分にもミストを吹き付けることが可能である。また、ミストとして酸性水を吹き付けるので、酸性水を疾患部分にいきわたらせるためにガーゼ等の布で塗り付けたり、余分な水を拭き取る必要がなく、疾患部分を布でこすらずに、保湿を行うことが可能である。
【００６９】
そして、本発明にかかる美容装置Ａを用いることで、一人では届きにくい場所や塗布では困難な場所（例えば、手の外側等）も含めて同時に酸性水を吹き付けることができるため、短時間で効果的に酸性水を皮膚表面に供給することが可能である。
【００７０】
なお、本実施形態では、酸性水を生成させるとともに酸性水をミスト化して吹き付けるものとしているが、これに限定されるものではない。たとえば、水道水をそのままミスト化して吹き付ける構成であってもよいし、或いは、薬品、化粧品、香水等の溶液を供給してミスト化するようにしてもよい。なお、酸性水を生成しない構成の場合、酸性水生成部１２を省略してもよいが、制御部１６で第１バルブ１５３及び第２バルブ１５５を適当に操作して、タンク部２０から供給される水或いは溶液を酸性水生成部１３を素通りして、貯水トレイ１３１に供給するようにしてもよい。このようにすることで、必要に応じて、酸性水の生成が可能である。
【００７１】
本実施形態にかかる美容装置Ａにおいて、ミストを吹き付ける対象体として腕Ａｍを挙げているが、これに限定されるものでなく、例えば、腕Ａｍよりも先端側の手や手のひらに吹付けるようにしてもよいし、或いは、足を流路部４２の円環形状の内部に配置して足にミストが吹き付けられるようになっていてもよい。足にミストを吹き付ける場合も腕Ａｍや手と同じである。
【００７２】
（第２実施形態）
本実施形態にかかるダクト部の他の例について図面を参照して説明する。上述のとおり、本発明にかかる美容装置Ａでは、ダクト部４０が着脱可能な構成となっている。そのため、使用の目的（対象体）毎に、ダクト部４０を取り換えて使うことも可能である。図７Ａ〜図７Ｅのそれぞれは本発明にかかる美容装置に備えられるダクト部の他の例を示す図である。なお、図７Ａ〜図７Ｅに示すダクト部において、ダクト部４０と実質上同じ部分には同じ符号を付すとともに同じ部分の詳細な説明は省略する。
【００７３】
図７Ａに示すダクト部４０Ａは、流路部４２ａが軸方向に見て無端環状、すなわち、切り欠いた部分が無い環形状（円環形状）である。そして、流路部４２ａの内周面にミスト噴出部４３が等中心角度間隔で並んで配列されている。このような構成とすることで、流路部４２ａの内部に配置した対象体に対して、周方向に均等にミストを吹き付けることが可能である。
【００７４】
また、図７Ｂに示すダクト部４０Ｂのように、流路部４２ａが軸方向に見て矩形状であってもよい。図７Ｂに示すダクト部４０Ｂでは、正方形の流路部４２ｂの辺の１つの中央部分に嵌合部４１が連設されている。これにより、ミスト及びミストを搬送する空気の流れの偏りを抑制することができる。しかしながら、これに限定されるものではなく、例えば、辺の端部近傍に嵌合部が連設されていてもよいし、角部に嵌合部が連設されていてもよい。
【００７５】
また、図７Ｂに示す流路部４２ｂは正方形であるが、正方形に限定されるものではなく、長方形であってもよいし、それ以外の矩形であってもよい。また、矩形に限定されるものではなく、多角形を広く採用することができる。
【００７６】
図７Ａ、図７Ｂに示すような、無端環状のダクト部４０Ａ、４０Ｂのでは、複数個のミスト噴出部４３のそれぞれから均一にミストを出すために嵌合部４１の中心軸を中心とする線対称となるように配置されていることが好ましい。ダクト部４０Ａ、４０Ｂは、流路部４２ａ、４２ｂが切り欠かれていないので、流路部４２ａ、４２ｂの内部に対象体を配置する場合、中心軸方向に移動させることで行う。ダクト部４０Ａ、４０Ｂは、例えば、対象体を迅速に引き抜くことができるように、深く挿入しない部位（体の末端部位）、例えば、手や足の先にミストを吹き付けるときに用いることを挙げることができる。なお、対象体の断面形状に合わせて、円形状のダクト部４０Ａと正方形状のダクト部４０Ｂを使い分ける。
【００７７】
さらに、図７Ｃに示すダクト部４０Ｃは、図７Ｂに示すダクト部４０Ｂの一辺が切り取られた有端環状の流路部４２ｃを備えている。すなわち、正方形の流路部４２ｂから一辺を取り除き、端部を気密に閉じた形状を有している。このような構成とすることで、ダクト部４０と同様に、流路部４２の内部に対象体を配置しやすい。また、形状が矩形であることから、断面形状が円形よりも四角形に近い部分に対して利用することで、均一にミストを吹き付けることが可能である。
【００７８】
ダクト部４０Ｃは、ダクト４０と同様、辺のない部分から対象体を流路部４２ｃの内部に配置することができる。ダクト部４０、ダクト部４０Ｃは、例えば、深く挿入する部位（体感に近い部分）、例えば、腕や太ももにミストを吹き付けるときに用いることを挙げることができる。
【００７９】
さらに、図７Ｄに示すダクト部４０Ｄの流路部４２ｄが、軸方向に見てＵ字状に形成されている。そして、Ｕ字状の流路部４２ｄの折曲部分の中央に嵌合部４１が連通している。このような構成とすることで、ダクト部４０と同じ特徴を有する。なお、図７Ｄに示すダクト部４０Ｄを利用する状態としては、例えば、顔の前面ではなく顎と頬とを繋ぐラインにミストを吹き付ける場合を挙げることができる。これにより、頭髪や目の近くにミストを吹き付けることなく、頬から顎にかけてミストを吹き付けることが可能である。
【００８０】
また、図７Ｅに示すダクト部４０Ｅには筒状部４４と、ミスト噴出部４３とが設けられている。筒状部４４は円筒形状の部材であり、一方の端部は嵌合部４１と一体に形成されており、他方の端部は気密に閉じられている。筒状部４４の他方の端部側には、径方向に突出した凸部４５が設けられている。凸部４５は径方向の先端側に平面部４５１を備えている。
【００８１】
そして、平面部４５１は、筒状部４４の中心軸に対して直交する法線を有する平面である。平面部４５１には筒状部４４の中心軸方向に配列した４個のミスト噴出部４３が設けられている。ミスト噴出部４３はミスト噴出部４３と同様に、突出部４３１及び貫通孔４３２が配列方向と交差（直交）する方向に並んで配置されている。
【００８２】
なお、ミスト噴出部４３はミスト噴出部４１と同じ構成を有するものであるため詳細を省略する。また、本実施形態では、凸部４５にミスト噴出部４３を備えたものとしているが、実際には、筒状部４４の曲面状の外面にミスト噴出部４３を備えていてもよい。また、平面ではなく他の部分とは曲率が異なる（主に曲率が小さい）面を形成しておき、その面にミスト噴出部４３を配置した構成であってもよい。
【００８３】
図７Ｅに示すダクト部４０Ｅは、上述のダクト部とは異なり、平面部分に対向するように配置された対象体（例えば、顔の前面）に対して、ミストを吹き付けることが可能である。
【００８４】
以上示したダクト部はあくまで一例であり、これら以外でも、ミストを均等に吹き付けることができる形状のダクト部を広く採用することができる。また、ミストを吹き付ける場所によってダクトを取り換えるように構成している場合、環状の流路部を備えたダクト部（ダクト部４０、４０Ａ〜４０Ｄ）では、貫通孔の中心軸が流路部の中心軸と直交するように形成されていてもよい。
【００８５】
（第３実施形態）
本発明にかかる美容装置の他の例について図面を参照して説明する。図８は本発明にかかる美容装置の他の例の概略配置を示す図であり、図９は図８に示す美容装置でダクト部を回動した状態を示す平面図である。美容装置Ｂは、回動部３３を備えている以外、図１等に示す美容装置Ａと同じ構成であり、実質上同じ部分には同じ符号を付すとともに、同じ部分の詳細な説明は省略する。なお、美容装置Ｂでは、図７Ｅに示すダクト部４０Ｅを取り付けているものとする。
【００８６】
図８、図９に示すように、美容装置Ｂはダクト接続部３０の支持部３２にダクト部４０Ｅを支持部３２の中心軸回りに回動する回動部３３を備えている。回動部３３は、制御部１６に接続されており、制御部１６の指示に従ってダクト部４０Ｅを回動させる。
【００８７】
回動部３３は、支持部３２を回動させる構成となっている。回動部３３は、一定の中心角度（およそ９０度）の範囲で回動（往復動）する。回動部３３は従来公知の構成を利用しているため、詳細は省略する。
【００８８】
図９に示すように、回動部３３によって支持部３２が回動すると、支持部３２に取り付けられているダクト部４０Ｅも回動する。ダクト部４０Ｅは、ミスト噴出部４３が中心軸から外側にミストを噴出するように設けられており、ダクト部４０Ｅが回動することで、ミスト噴出部４３のミスト噴出方向も回動する。このように回動することで、広い範囲に均等にミストを吹き付けることが可能である。
【００８９】
また、回動部３３が回転するように構成してもよい。このように構成することで、ダクト部４０Ｅのミスト噴出部４３はミストをダクト部４０Ｅの周囲に噴出することができる。これにより、美容装置Ｂが配置された空間の全体にミストを広くいきわたらせることができ、室内の湿度を高める加湿器としての利用も可能になる。また、酸性水のミストを噴出する構成とすることで、空間内の除菌を行う装置としても利用可能である。
【００９０】
なお、回動部３３の回動角度は９０度としているが、これに限定されない。これよりも大きくてもよいし、小さくてもよい。また、使用者が、ミストを吹き付ける領域の大きさに応じて、角度を調整できるようにしてもよい。
【００９１】
本実施形態において、ダクト部が回動する構造上、ダクト部４０Ｅを備えたものを例に説明した。これに限定されるものではなく、これ以外の形状のダクト部を用いて、ダクト部を回動させるようにしてもよい。以下に、ダクト部４０Ｅ以外の形状のダクト部を取り付けたときの動作について説明する。
【００９２】
図１０Ａ、１０Ｂは本実施形態にかかる美容装置の変形例の動作を示す平面図である。図１０Ａに示す美容装置Ｂ１では、図７Ａに示すような無端の円環状に形成された流路部４２ａを備えたダクト部４０Ａを取り付けている。また、図１０Ｂに示す美容装置Ｂ２では、図７Ｃに示すような一辺が取り除かれた正方形状の流路部４２ｃを備えたダクト部３０Ｃを取り付けている。
【００９３】
本発明にかかる美容装置では、流路部を備えたダクト部を用いて対象体に対してミストの吹き付けを行う場合、対象体（例えば、手）を流路部の中に配置して行う。図１０Ａに示す美容装置Ｂ１のように、ダクト部４０Ａの流路部４２ａに手を配置した状態で、回動させることで、ミスト噴出部４３の手に対する位置を変更することができ、広い範囲にミストを吹き付けることが可能となる。無端環状の流路部４２ａを備えるダクト部４０Ａの場合、回動角度が大きいと流路部４２ａが対象体（手又は腕）に接触する場合がある。そのため、回動角度は流路部４２ａが対象体に接触しない程度に調整されることが好ましい。
【００９４】
また、図１０Ｂに示す美容装置Ｂ２では、流路部４２ｃが切り欠け部分を備えている。そして、ダクト部４０Ｃを回動させたとき、切り欠け部分が対象体を横切るように対象体を流路部４２ｃの環形状の中心に配置することで、ダクト部４０Ｃを回動させても流路部４２ａが対象体と接触するのを抑制することができる。
【００９５】
ダクト部４０Ｃを回動させてミストを吹き付ける部位として、例えば、手先、足先等を挙げることができる。図１０Ｂに示すように、手のひらを流路部４２ｃの対向している辺の一方の辺と対向させ、手の甲を他方の辺の部分に対向させるように配置して、ダクト部４０Ｃを回動させることで、手のひら及び手の甲を外側から囲むようにミストを吹き付けることができる。これにより、手先や足先のケアに利用するときでも、手や足の角度を調整する必要がない。また、装置によってミストの吹付量が計算されているので、使用者が移動させる場合に比べて、ミストの吹き付けむらが発生しにくい。
【００９６】
以上示したように、ダクト部４０Ａを取り付けた場合、ダクト部４０Ｃを取り付けた場合、ダクト部４０Ｅを取り付けた場合とで、回動部３３に許容される回動角度は異なる角度となる。そのため、本発明にかかる美容装置Ｂでは、ダクト部ごとに許容する回動角度を予め記憶部に記憶しておき、制御部１６が取り付けられたダクト部に応じた回動角度で回動を行うようにしている。
【００９７】
そのため、回動部３３の回動角度は、調整できるようになっている。回動角度の調整は、制御部１６が行うようになっており、使用者が自ら調整するようにしてもよい。また、支持部３２に嵌合部を嵌合したときに取り付けられたダクト部の種類（流路部の形状）を検出し、制御部１６が自動的に回動角度を決定するようにしてもよい。ダクト部の種類の検知方法については、多くの方法があるが、例えば、ダクト部ごとに嵌合部の長さが異なる構成としておき、嵌合部の支持部３２に嵌合する部分の長さを取得することで検知する方法を挙げることができる。また、これ以外の方法を利用してもよい。
【００９８】
このように、ダクト部をそれぞれ個別に検知する構成とすることで、自動的にダクト部の形状に適切な回動角度でダクト部を回動させることができるため、利便性を高めることができる。なお、使用者によって回動角度を変更できる（手動調整可能な）ようになっていてもよい。また、自動調整と手動調整の両方が可能な構成であってもよい。
【００９９】
（第４実施形態）
本実施形態において、美容装置Ｂは、ダクト接続部３０の支持部３２を回動することで、支持部３２に取り付けられたダクト部を回動する構成となっているが、ダクト部４０に回動部が備えられる構成であってもよい。例えば、嵌合部が内外２重の環形状を有しており、内側の環が支持部３２に固定され、回動部が外側の環を内側の環に対して回動するように構成されており、流路部が外側の環に連通されている。このような構成において、回動部を駆動することで、ダクト部の流路部及びミスト噴出部を回動することが可能である。なお、ミスト噴出部を回動させることができる構成であれば、これ以外の構成であってもよい。また、回動部の電力はダクト接続部３０側（又は、電源コード）から供給されるようになっていてもよいし、ダクト部自体が電力源（例えば、バッテリー）を備えていてもよい。
【０１００】
このように、回動部がダクト部に備えられているとこで、ダクト接続部３０の構成を簡略化することが可能である。また、回動部がダクト部ごとに設けられるので、ダクト部に合わせた回動角度の制御が不要になる。すなわち、ダクト部に設けられた回動部は、そのダクト部の形状に合わせた回動角度又は使用者によって決められた回転角度を予め記憶しており、その回動角度内で回動動作を行うため、制御部は、回転角度の決定等の操作が不要になり、制御が簡略化される。
【０１０１】
また、使用者の要求に応じて、回動するダクト部又は回動しないダクト部を提供することができ、使用者の利便性を高めることが可能である。
【０１０２】
これ以外の特徴については、第１実施形態と同じである。
【０１０３】
（第５実施形態）
本発明にかかる美容装置のさらに他の例について図面を参照して説明する。図１１は本発明にかかる美容装置の他の例に用いられるダクト部の斜視図であり、図１２は図１１に示すダクト部の正面図であり、図１３は図１２に示すダクトのＸＩＩＩ−ＸＩＩＩ線で切断した断面図である。本実施形態では、ダクト部だけを示しているが、ミスト発生部１０、タンク部２０及びダクト接続部３０は美容装置Ａと同じである。
【０１０４】
図１１に示すように、ダクト部５０は、嵌合部５１、流路部５２及びミスト噴出部５３が設けられている。嵌合部５１は、ダクト部４０に設けられている嵌合部４１と同じ構造であり、円筒形状を有している。
【０１０５】
図１１、図１２に示すように、流路部５２は、無端環状であり円環形状に形成された管体である。内側面５２１は円環形状の中心軸Ｃ３に対して傾斜する（９０度以外の角度で交わる）法線を有するように形成されている。なお、本実施形態の構成では、内側面５２１は円錐形の先端部分を切断した形状を有している。すなわち、内側面５２１は中心軸を含む平面で切断したとき（図１３参照）、中心軸Ｃ３に対して傾いた直線となっている。なお、本実施形態では、円錐形の一部を有するような形状としているが、これに限定されるものではなく、放物面形状のものや周方向に波型を構成する形状のもの等であってもよい。
【０１０６】
そして、内側面５２１には、円周方向に等中心角度間隔で配列されたミスト噴出部５３が設けられている。ミスト噴出部５３は、ミスト噴出部４３と同様、流路部５２の内部を流れてきたミスト及びミストを搬送した空気を外部に噴出するものである。ミスト噴出部５３は、突出部５３１と、貫通孔５３２とを備えている。
【０１０７】
突出部５３１は突出部４３１と同様の円柱形状であり、内側面５２１から中心軸Ｃ３に向かって突出している。突出部５３１は、ミスト噴出部５３毎に２個ずつ備えられており、円環形状の中心軸Ｃ３に沿う方向に並べて配置されている。すなわち、ダクト部５０では、１２カ所にミスト噴出部５３が設けられており、合計２４個の突出部５３１を備えている。
【０１０８】
貫通孔５３２は、内部の空間から外部にミストを噴出するためのノズルであり、突出部５３１の円形状の外面の中央部分に開口を有している。貫通孔５３２はミスト及びミストを搬送する空気の噴出方向を安定させることができる長さを有している。貫通孔５３２の形状は、貫通孔４３２の形状とほぼ同じであるため、同じ部分の詳細な説明は省略する。
【０１０９】
ダクト部５０において、内側面５２１が流路部５２の円環形状の中心軸Ｃ３に対して傾いているので、内側面５２１の任意の点から直交する方向に突出した突出部５３１の中心軸は、中心軸Ｃ３に対して直角以外の角度をなすように配置される。そのため、ミスト噴出部５３に設けられている貫通孔５３２は突出部５３１の中心軸と同じ中心軸を有する円柱形状の孔である。
【０１１０】
このような構成の美容装置Ａを用いることで、環状形状の流路部５２の内部に配置した対象体（手、腕、足、ふくらはぎ、太もも等）に均等にミストを吹き付けることができる。また、ダクト部５０は、流路部５２から軸方向にずれた方向にミストを噴出する構成となっているので、ミストが噴出する側に対象体を配置することで、流動体の内部に配置するのが難しい対象体（顔、旨、背中等）にも適切にミストを吹き付けることが可能である。
【０１１１】
このように、本実施形態にかかる美容装置Ａは、ダクト部５０を取り換えることなく、手や足といった長い部位（長尺状の対象体）にも、手のひら、顔、胸等の面として広い部位（平面状の対象体）にも適切なミストを吹き付けることが可能である。
【０１１２】
また、ダクト部５０の流路部５２が環形状であることから、顔にミストを吹き付ける場合であっても、口や鼻はミストを含む空気に覆われてしまうことが少なく、呼吸が妨げられにくい。このことからも、顔で利用する場合であっても、従来の閉じた容器形状のカバーを用いた美容装置を用いる場合に比べて、使用者の苦痛（息苦しい、ミストが鼻に入る等）を感じにくくすることが可能である。また、ダクト部５０の流路部５２の環状部分の中央の孔を塞ぐような部材（図示省略）を用いることで、従来の容器形状のカバーと同等の構成とすることも可能であり、従来の容器形状と同等の美容効果を得ることも可能である。
【０１１３】
また、これらの形状において、本実施形態で示している形状は、流路部５２の円環形状の中心軸と内側面５２１の中心軸とが一致するような構成となっているが、これに限定されるものではなく、中心軸がずれた構成となっていてもよい。例えば、円錐形状を利用した構成の場合、本実施形態の内側面５２１では、円錐を中心軸と直交する面で切断した形状となっているが、これとは異なる面で切断した形状の内側面を備えていてもよい。
【０１１４】
なお、本実施形態では、ダクト部５０を備えた構成の例として、美容装置Ａを挙げているが、美容装置Ｂにダクト部５０を取り付けるようにしてもよい。また、本実施形態では、円環形状の流路部５２を備えた構成のものを例に説明しているが、これに限定されるものではなく、多角形の環形状に形成された流路部を有するものや、有端環状の流路部を有するものであっても同様の構成とすることができる。
【０１１５】
（第６実施形態）
本発明にかかる美容装置のさらに他の例について図面を参照して説明する。図１４は本発明にかかる美容装置のさらに他の例に備えられるダクト部の正面図であり、図１５は図１４に示すダクト部のＸＶ−ＸＶ線で切断した断面図である。図１４、図１５に示すダクト部６０は、美容装置Ａのダクト部として利用可能な構成を有している。
【０１１６】
図１４に示すように、ダクト部６０は嵌合部６１、流路部６２、第１ミスト噴出部６３、第２ミスト噴出部６４及び切替部６５を備えている。嵌合部６１は円筒形状の管体である。流路部６２は管体を円環状に形成したものであり、内側面６２１と、軸方向の端面６２２、６２３を備えている。
【０１１７】
第１ミスト噴出部６３は、内側面６２１に設けられている。なお、第１ミスト噴出部６３は、周方向に等間隔に並んで１２カ所に設けられており、第１ミスト噴出部６３ごとに突出部６３１が２個、流路部６２の環状の中心軸Ｃ４方向に並んで配置されている。そして、突出部６３１の中央部分に開口が形成されるように貫通孔６３２が形成されている。貫通孔６３２は中心軸が中心軸Ｃ４に対して直交するように設けられている。
【０１１８】
また、第２ミスト噴出部６４は、内側面６２１と隣り合う軸方向の端面のうち、一方の端面６２２に設けられている。そして、第２ミスト噴出部６４は第１ミスト噴出部６３と同様、周方向に等間隔に並んで１２カ所に設けられている。第２ミスト噴出部６４は取り付けられている面が異なる以外、第１ミスト噴出部６３と同じ構造を有している。つまり、第２ミスト噴出部６４ごとに突出部６４１が２個、端面６２２の径方向に並んで配置されている。そして、突出部６４１の中央部分に開口が形成されるように貫通孔６４２が形成されている。貫通孔６４２は端面に対して直交する中心軸を有するように形成されている。
【０１１９】
図１５に示すように流路部６２は内部に仕切６２４が設けられている。仕切６２４によって、流路部６２の内部は、第１ミスト噴出部６３と連結された第１領域６２５と第２領域６２６に分割されている。
【０１２０】
ダクト部６０は、嵌合部６１と流路部６２の間に切替部６５が設けられている。切替部６５は、嵌合部６１に供給されたミスト及びミストを搬送する空気を、流路部６２の第１領域６２５又は第２領域６２６に振り分ける切換え弁（不図示）を備えている。切換え弁の構成については従来よく知られているものであるため詳細は省略する。
【０１２１】
切替部６５は外部にミストが流入する領域を切り替えるための切り替えレバー（不図示）が設けられており、使用者によって切り換えレバーが操作されることで、ミスト及び空気の流入方向が切り替えられる。例えば、手や足等の流路部６２の環状の内部に配置してミストを吹き付ける対象体の場合、第１領域６２５側にミスト及び空気が流れるように切り替える。一方、顔や胸等、ダクト部６０と対向する部分にミストを吹き付ける場合、第２領域側にミスト及び空気が流れるように切り替える。
【０１２２】
このように、切替部６５を備える構成とすることで、ダクト部６０を取り換えることなく、手や足等の全周にわたりミストを吹き付けたい部分と、顔や胸等一方向からミストを吹き付けたい部分の両方に、適切にミストを吹き付けることができる。
【０１２３】
本実施形態では、第１ミスト噴出部６３の貫通孔６３２は中心軸Ｃ４に垂直に、第２ミスト噴出部６４の貫通孔６４２は側面６２２に垂直に形成されているが、これに限定されるものではなく、傾けて形成されていてもよい。また、本実施形態において、切替部６５は、ミストを第１領域６２５又は第２領域６２６のいずれかに流入させる構成としているが、両方に流入させるようにしてもよい。このとき、流入の割合を調整できるようになっていてもよい。
【０１２４】
さらに本実施形態では、切替部６５の切り替えを使用者が手動で切り替えているが、これに限定されるものではなく、弁を切り替えるためのアクチュエータを備えておき、制御部１６からの指示に基づいてアクチュエータを駆動して弁を切り替えるようにしてもよい。
【０１２５】
（第７実施形態）
本発明にかかる美容装置のさらに他の例について図面を参照して説明する。図１６は本発明にかかる美容装置に用いるダクト部の側面図である。図１６に示すダクト部７０は、嵌合部７１の形状が異なる以外、ダクト部４０と同じ構成を有している。そのため、流路部７２は流路部４２と、ミスト噴出部７３はミスト噴出部４３とそれぞれ同じ構成を有しており、詳細な説明を省略する。
【０１２６】
上述の各実施形態で示した美容装置では、水平方向に対象体を流路部の環形状の内部に挿入配置し、その周囲にミストを吹き付けるものについて説明してきた。このような構成の場合、比較的自由度高く動かせる手や足を対象体とすることは可能である。一方で、首や胴体は体位を工夫しないと、水平方向に流路部の環形状を横切るように配置することが難しい。そこで、図１６に示すように、ダクト部７０の嵌合部７１が折曲部７１１を備えたものを挙げることができる。
【０１２７】
嵌合部７１の折曲部７１１は所定の角度範囲（例えば、９０°）で、任意の角度に曲げることができる。折曲部７１１としては、図１６に示すように、蛇腹状に形成されたフレキシブルジョイント形状に形成されているものを挙げることができるがこれに限定されない。例えば、弾性的に折り曲げ可能な構成のもの等を利用してもよい。
【０１２８】
嵌合部７１を屈曲させることで、流路部７２の環形状の中心軸の角度を接地面（水平面）に対して垂直或いは垂直に近い角度とすることが可能である。このように構成することで、使用者は座った（又は、立った）状態で、首やのどを流路部７２の環形状の内部に配置し、周囲に均等にミストを吹き付けることが可能である。また、流路部７２の環形状の径を大きくすることで、胴体部分にも同様にミストを吹き付けることが可能である。
【０１２９】
なお、嵌合部７１の折曲部７１１が角度調整可能な構成のものを挙げているが、予め決められた角度（例えば、９０°、１２０°等）で屈曲（湾曲）した構成としてもよい。また、本実施形態では、ダクト部７０の嵌合部７１を曲げる構成としているが、これに限定されるものではなく、ダクト接続部３０に屈曲或いは湾曲した形状のものを利用し、流路部７２の角度を曲げるようにしてもよい。
【０１３０】
以上、本発明の実施形態について説明したが、本発明はこの内容に限定されるものではない。また本発明の実施形態は、発明の趣旨を逸脱しない限り、種々の改変を加えることが可能である。
【符号の説明】
【０１３１】
Ａ、Ｂ  美容装置
１０  ミスト発生部
１１  タンク取付部
１１１  嵌合凹部
１１２  受水凹部
１２  酸性水生成部
１２１  電解槽
１２２、１２３  電極
１２４  ガス抜きパイプ
１３  ミスト生成部
１３０  蓋体
１３１  貯水トレイ
１３２  超音波振動子
１３３  送風ファン
１３４  放出孔
１３５  突出部
１４  排水タンク
１５  配管
１５０  分岐部
１５１  第１水路
１５２  第２水路
１５３  第１バルブ
１５４  排水ポンプ
１５５  第２バルブ
１６  制御部
２０  タンク部
２１  給水部
３０  ダクト接続部
３１  連結部
３２  支持部
３３  回動部
４０  ダクト部
４０Ａ〜４０Ｅ  ダクト部
４１  嵌合部
４２  流路部
４２１  内側面
４３  ミスト噴出部
４３１  突出部
４３２  貫通孔
４４  筒状部
４５  凸部
４５１  平面部
５０  ダクト部
５１  嵌合部
５２  流路部
５２１  内側面
５３  ミスト噴出部
６０  ダクト部
６１  嵌合部
６２  流路部
６２１  内側面
６３  ミスト噴出部
７０  ダクト部
７１  嵌合部
７１１  折曲部
７２  流路部
７２１  内側面
７３  ミスト噴出部
【図１】
0006502098.tif 000002
【図２】
0006502098.tif 000003
【図３】
0006502098.tif 000004
【図４】
0006502098.tif 000005
【図５】
0006502098.tif 000006
【図６】
0006502098.tif 000007
【図７Ａ】
0006502098.tif 000008
【図７Ｂ】
0006502098.tif 000009
【図７Ｃ】
0006502098.tif 000010
【図７Ｄ】
0006502098.tif 000011
【図７Ｅ】
0006502098.tif 000012
【図８】
0006502098.tif 000013
【図９】
0006502098.tif 000014
【図１０Ａ】
0006502098.tif 000015
【図１０Ｂ】
0006502098.tif 000016
【図１１】
0006502098.tif 000017
【図１２】
0006502098.tif 000018
【図１３】
0006502098.tif 000019
【図１４】
0006502098.tif 000020
【図１５】
0006502098.tif 000021
【図１６】
0006502098.tif 000022